(57)【要約】【課題】従来よりも使い勝手のよい炊飯器を提供する。【解決手段】本体部１５０と、本体部１５０に回動可能に支持される蓋部１１０とを備える炊飯器１００が提供される。蓋部１１０は、上下方向に摺動可能に構成される、蓋部１１０の開閉用のレバー１１１と、上下方向に摺動可能に構成され、スプリング１４２を介してレバー１１１を下方から支持するレバー受け１４３と、レバー受け１４３の下方に位置し、レバー受け１４３によって下方へ押されることによって、本体部１５０に対するロックを解除するためストッパー１４５とを含む。【選択図】図１８
2019047868.tif 000002
【特許請求の範囲】
【請求項１】
本体部と、
前記本体部に回動可能に支持される蓋部とを備え、前記蓋部は、
上下方向に摺動可能に構成される、前記蓋部の開閉用のレバーと、
上下方向に摺動可能に構成され、スプリングを介して前記レバーを下方から支持するレバー受けと、
前記レバー受けの下方に位置し、前記レバー受けによって下方へ押されることによって、前記本体部に対するロックを解除するためストッパーとを含む、炊飯器。
【請求項２】
前記ストッパーは前記炊飯器の左右方向に延設され、
前記ストッパーの左右の端部の少なくとも１つの近傍に、前記炊飯器の加圧調理時に、前記ストッパーの下降を制限するための部材が配置される、請求項１に記載の炊飯器。
【発明の詳細な説明】
【技術分野】
【０００１】
本発明は、炊飯器の技術に関する。
【背景技術】
【０００２】
炊飯器の各部の技術が開示されている。たとえば、特開２０１２−２４９９４５号公報（特許文献１）には、圧力式炊飯器が開示されている。特許文献１によると、炊飯器本体と、炊飯器本体の上方に位置する蓋体とを有する圧力式炊飯器であって、炊飯器本体は、内鍋と、内鍋を加熱する加熱手段とを有し、蓋体は、第１圧力調整装置及び第２圧力調整装置を有し、第１圧力調整装置は、第１通気孔を開閉する球状の第１弁体を有し、第２圧力調整装置は、第２通気孔を開閉する球状の第２弁体を有し、第１弁体は、水平方向に押圧されることにより第１通気孔を開閉し、第２弁体は、回動部材を介して垂直方向に押圧されることにより第２通気孔に対する閉鎖力を高め安全弁として機能する。
【先行技術文献】
【特許文献】
【０００３】
【特許文献１】特開２０１２−２４９９４５号公報
【発明の概要】
【発明が解決しようとする課題】
【０００４】
本発明の一態様は、従来よりも使い勝手のよい炊飯器を提供することを目的とする。
【課題を解決するための手段】
【０００５】
本発明の一態様においては、本体部と、本体部に回動可能に支持される蓋部とを備える炊飯器が提供される。蓋部は、上下方向に摺動可能に構成される、蓋部の開閉用のレバーと、上下方向に摺動可能に構成され、スプリングを介してレバーを下方から支持するレバー受けと、レバー受けの下方に位置し、レバー受けによって下方へ押されることによって、本体部に対するロックを解除するためストッパーとを含む。
【発明の効果】
【０００６】
以上のように、本発明の一態様によれば、従来よりも使い勝手のよい炊飯器が提供される。
【図面の簡単な説明】
【０００７】
【図１】本実施の形態にかかる蓋を閉じた状態の炊飯器の前方斜視図である。
【図２】本実施の形態にかかる蓋を閉じた状態の炊飯器の後方斜視図である。
【図３】本実施の形態にかかる蓋を開けた状態の炊飯器の前方斜視図である。
【図４】本実施の形態にかかる蓋を開けた状態の炊飯器の後方斜視図である。
【図５】本実施の形態にかかる蓋を閉じた状態の蓋部と上下板金との関係を示す後方斜視図である。
【図６】本実施の形態にかかる蓋を開けた状態の蓋部と上下板金との関係を示す後方斜視図である。
【図７】本実施の形態にかかる蓋部の内部を示す後方斜視図である。
【図８】本実施の形態にかかる蓋を開けた状態の、内蓋とオネバ回収ユニットとを蓋から取り外した状態の蓋部裏側を示す前方斜視図である。
【図９】本実施の形態にかかる蓋を開けた状態の、内蓋とオネバ回収ユニットとを蓋に取り付けた状態の蓋部裏側を示す前方斜視図である。
【図１０】本実施の形態にかかる蓋部の側面断面図である。
【図１１】本実施の形態にかかるオネバ回収ユニットを開いた状態を示す第１の斜視図である。
【図１２】本実施の形態にかかるオネバ回収ユニットを開いた状態を示す第２の斜視図である。
【図１３】本実施の形態にかかる蓋部の内側のソレノイド付近を示す平面図である。
【図１４】本実施の形態にかかる蓋部のソレノイド付近を示す側面断面図である。
【図１５】本実施の形態にかかる加圧時のロックがされていない状態で、レバーが押されていない状態の蓋部の右部を示す前方斜視図と、レバーが押された状態の蓋部の右部を示す前方斜視図である。
【図１６】本実施の形態にかかる、加圧時のロックがされている状態の蓋部の右部を示す前方斜視図である。
【図１７】本実施の形態にかかるレバー付近の蓋部の側面断面図である。
【図１８】本実施の形態にかかるレバー付近の蓋部の正面断面図である。
【図１９】本実施の形態にかかる本体部の内部のカタ部と保護枠とを示す前方斜視図である。
【図２０】本実施の形態にかかる本体部の内部のカタ部と保護枠とメインＩＨユニットとを示す側面である。
【図２１】本実施の形態にかかる本体部の内部のカタ部と保護枠とメインＩＨユニットとを示す側面断面図である。
【図２２】本実施の形態にかかるメインＩＨユニットの斜視図である。
【図２３】本実施の形態にかかるメインＩＨユニットの側面図である。
【図２４】本実施の形態にかかる小さめの内鍋をいれた状態の内鍋と保護枠とメインＩＨユニットとの位置関係を示す側面断面図である。
【図２５】本実施の形態にかかる大きめの内鍋をいれた状態の内鍋と保護枠とメインＩＨユニットとの位置関係を示す側面断面図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜炊飯器１００の全体構成＞
【０００９】
まず、本実施の形態にかかる炊飯器１００の全体構成について説明する。図１〜図４を参照して、炊飯器１００は、主に、本体部１５０と、当該本体部１５０に対して回動可能に取り付けられる蓋部１１０とを含む。なお、以下では、炊飯器１００における、蓋部１１０のヒンジ側を後方側とし、ヒンジとは反対側の蓋開閉レバー１１１側を前方側とし、前後方向に直交する側を左右方向側とする。
【００１０】
図１および図２に示す状態において、ユーザが蓋開閉レバー１１１を押すと、蓋部１１０が本体部１５０の後部を軸に対して上方へと回動する。これによって、図３および図４に示すように、本体部１５０に設置される内鍋１９０が開放される。
【００１１】
本実施の形態においては、内鍋１９０がＩＨ用の土鍋釜として説明するが、以下で説明される技術は内鍋１９０が土鍋であるものに限定されるものではないし、内鍋１９０がＩＨ対応であるものに限定されるものでもない。
＜蓋部１１０の構成＞
【００１２】
次に、本実施の形態にかかる蓋部１１０の構成について説明する。図５および図６に示すように、蓋部１１０の外面としての蓋カバー１１９の背面の下部には切り欠き１１９Ｌ，１１９Ｒが形成される。蓋部１１０の本体部１５０に対する回動軸は蓋部１１０の後端よりも数ｍｍ〜１ｃｍ程度だけ前方に位置する。本実施の形態においては、本体部１５０の後部かつ上部には、後述するように、蓋部１１０の回動軸を支持するための上下板金１５１Ｌ，１５１Ｒが取り付けられる。これによって、蓋部１１０の前部が上方へ回動する際に、蓋カバー１１９の後部が下方かつ前方へ回動する。本実施の形態においては、当該上下板金１５１Ｌ，１５１Ｒが切り欠き１１９Ｌ，１１９Ｒに入り込むことによって、蓋カバー１１９と上下板金１５１Ｌ，１５１Ｒとがぶつからないように構成されている。
【００１３】
より詳細には、図７に示すように、蓋部１１０には、その内部の左側と右側に、前後方向に向けて、蓋部１１０の強度を保つための前後板金１１５Ｌ，１１５Ｒが取り付けられる。前後板金１１５Ｌ，１１５Ｒの後端部は、本実施の形態における蓋部１１０と本体部１５０とのヒンジの役割を果たす回動ユニット１１６の左右端に固設される。回動ユニット１１６は、図示しない内側の軸が、本体部１５０の後端部に取り付けられる上下板金１５１Ｌ，１５１Ｒに支持される。回動ユニット１１６は、左右方向に伸縮する圧縮バネ１１２と、当該圧縮バネ１１２の左右端に取り付けられつつ、図示しない内側の軸の周りを回動するカム部材１１３Ｌ，１１３Ｒとを含む。カム部材１１３Ｌ，１１３Ｒは、前後板金１１５Ｌ，１１５Ｒと連動する。
【００１４】
これによって本体部１５０と上下板金１５１Ｌ，１５１Ｒと内側の軸とに対して、圧縮バネ１１２とカム部材１１３Ｌ，１１３Ｒと前後板金１１５Ｌ，１１５Ｒが回動することができる。より詳細には、圧縮バネ１１２によって、カム部材１１３Ｌ，１１３Ｒが左右方向に離間するように付勢されており、それによってカム部材１１３Ｌ，１１３Ｒが蓋部１１０を上方へ回動させる方向に付勢するように構成されている。以上のように構成されるため、本実施の形態にかかる炊飯器１００は、背面視において下方から、本体カバー１５１、カタ部１６０、蓋カバー１１９の順に配置され、それらの境界が全て水平に形成される。
【００１５】
また、図８を参照して、本実施の形態にかかる蓋部１１０は、蓋カバー１１９の内側に、内蓋１２０が着脱自在に取り付けられる。そして、蓋カバー１１９の後部（蓋が開いた状態における下部）と内蓋１２０の後部（蓋が開いた状態における下部）との間にオネバ回収部材１３０が挟まれて固定される。これによって、ユーザは、内蓋１２０とオネバ回収部材１３０とを蓋カバー１１９から容易に取り外して両者を洗ったり、再度、図９および図１０に示すように、オネバ回収部材１３０を蓋カバー１１９に取り付けたり、内蓋１２０を蓋カバー１１９とオネバ回収部材１３０に取り付けたりすることができる。
【００１６】
特に、本実施の形態においては、蓋カバー１１９の裏側、すなわち内蓋１２０側には、オネバ回収部材１３０に対向する位置にマグネット１１８Ｙが配置される。オネバ回収部材１３０は、樹脂の中に金属が内包されている。これによって、ユーザは、オネバ回収部材１３０を蓋カバー１１９の裏面に取り付けやすく、また両者のガタツキを低減することもできる。さらに、炊飯器１００の内部を加圧する際には、オネバ回収部材１３０が下方から蓋カバー１１９に向けて押し付けられるので、オネバ回収部材１３０と蓋カバー１１９との隙間を小さくすることができる。
【００１７】
また、本実施の形態においては、蓋カバー１１９の裏側、すなわち内蓋１２０側には、内蓋１２０の前部（蓋が開いた状態における上部）に対向する位置にマグネット１１８Ｘが内包される。これによって、ユーザは、内蓋１２０を蓋カバー１１９の裏面に取り付けやすく、また内蓋１２０と蓋カバー１１９の裏面とのガタツキを低減することができる。さらに、炊飯器１００の内部を加圧する際には、内蓋１２０が蓋カバー１１９に向けて下方から上方へ押し付けられるので、内蓋１２０と蓋カバー１１９との隙間を小さくすることができる。
【００１８】
より詳細には、オネバ回収部材１３０の裏面、すなわち内蓋１２０側の、左右の端部にはそれぞれ取り付け片１３８Ｌが形成される。ユーザは、蓋カバー１１９の裏面の下部のマグネット１１８Ｙの力を借りてオネバ回収部材１３０を蓋カバー１１９の裏面に取り付けた後、内蓋１２０の左右の端部のそれぞれをオネバ回収部材１３０の取り付け片１３８Ｌに引っ掛けて、蓋カバー１１９の裏面の上部のマグネット１１８Ｘの力を借りて内蓋１２０を蓋カバー１１９の裏面とオネバ回収部材１３０とに取り付ける。
【００１９】
さらに本実施の形態にかかるオネバ回収部材１３０は、図１１および図１２に示すように、上部材１３１と下部材１３２とが着脱自在に取り付けられるものである。このため、ユーザは、蓋部１１０からオネバ回収部材１３０を取り外した後、さらに上部材１３１と下部材１３２とを取り外して、オネバ回収部材１３０の内部を容易に洗浄することができる。
＜蓋部１１０の開閉のロック機構＞
【００２０】
ここで、図１３と図１４を参照して、本実施の形態にかかる炊飯器１００の内部の圧力の調整機構について説明する。本実施の形態においては、第１のソレノイド１２１Ｒが第１のプランジャ１２９Ｒを後方に押し出した状態において、第１の調圧ボール１２８が第１の調圧穴１２７を開放し、内鍋１９０の内部が大気圧に維持される。次に第１の加圧状態として、第１のソレノイド１２１Ｒが第１のプランジャ１２９Ｒを前方に引き込んで、第１の調圧ボール１２８によって第１の調圧穴１２７が閉じられる。合わせて、第２のソレノイド１２２Ｌが第２のプランジャ１２９Ｌを後方に押し出して、第１の調圧ボール１２８よりも軽い図示しない第２の調圧ボールが第２の調圧穴上に配置される。これによって、第２の調圧ボールの重さによって内鍋１９０内の圧力が約１．０５ａｔｍに維持される。そして第２の加圧状態として、第１のソレノイド１２１Ｒが第１のプランジャ１２９Ｒを前方に引き込んで、第１の調圧ボール１２８が第１の調圧穴１２７を閉じる。合わせて、第２のソレノイド１２２Ｌも第２のプランジャ１２９Ｌを前方に引き込んで、第２の調圧ボールを第２の調圧穴に押し付ける。これによって、第１の調圧ボール１２８の重さによって内鍋１９０内の圧力が約１．２５ａｔｍに維持される。なお、圧力の大きさや圧力の調整機構については、このような形態に限定するものではない。
【００２１】
次に、図１３から図１８を参照して、加圧調理時にレバー１１１を押しても蓋部１１０が開かないようにするためのロック機構について説明する。第１のソレノイド１２１Ｒの第１のプランジャ１２９Ｒには、リンク部材１２２が取り付けられている。リンク部材１２２は、第１のプランジャ１２９Ｒから右方に伸びる左右フレーム１２２Ａと、当該左右フレーム１２２Ａの右端から前後方向に延びる前後フレーム１２２Ｂとを含む。前後フレーム１２２Ｂの後部は、連動部材１２３を介して、第１の調圧ボール１２８を後方へ押しのけるための回動部材１２５を回動させる。すなわち、本実施の形態においては、第１のソレノイド１２１Ｒの前後の摺動動作が、右方を迂回して、すなわちリンク部材１２２の前後の摺動動作に伝達され、最終的に当該回動部材１２５や第１の調圧ボール１２８や後述する上下スライド部材１４７の動作へと作用するものである。
【００２２】
図１３と図１５を参照して、リンク部材１２２の前後フレーム１２２Ｂは、第１のソレノイド１２２Ｒの第１のプランジャ１２９Ｒの前後方向の移動に合わせて前後方向にスライドする。より詳細には、図１６に示すようにリンク部材１２２の前端部が、蓋部１１０の前部の右部に上下摺動可能に配置される上下スライド部材１４７の下方まで進入したり、図１５に示すようにリンク部材１２２の前端部が上下スライド部材１４７の下方から後方へと逃れたりする。
【００２３】
より詳細には、加圧調理時以外において、図１５（ａ）に示すように、上下スライド部材１４７は、通常はスプリング１４８の付勢力に応じて上方に位置しているが、ユーザが、レバー１１１を下方に押し込むと、ストッパー１４５の回動に伴って、図１５（ｂ）に示すように、上下スライド部材１４７が下方へ移動する。しかしながら、内鍋１９０内を加圧する際、すなわち、第１のソレノイド１２１Ｒが第１のプランジャ１２９Ｒを前方に引き込んで、リンク部材１２２が前方にスライドした際には、図１６に示すように、リンク部材１２２の前端部が上下スライド部材１４７の下方に入り込み、上下スライド部材１４７がリンク部材１２２に当たって下方へ移動できなくなる。つまり加圧調理状態においては、図１６に示すように、上下スライド部材１４７とストッパー１４５の右部とが下方へ移動できなくなり、ストッパー１４５が本体部１５０に引っ掛かったままとなる。つまり、蓋部１１０の開放が制限される。換言すれば、後述するように、ユーザが蓋部１１０の左右中央部のレバー１１１を押下しても、後述するレバースプリングが撓むのみで、ストッパー１４５が保護枠１７０から外れず、蓋部１１０を開けることができなくなる。
【００２４】
図１７および図１８に示すように、本実施の形態においては、レバー１１１はスプリング１４２を介して、レバー受け１４３の上方に、上下摺動可能に配置される。レバー受け１４３は、ストッパー１４５の上方に配置される。より詳細には、レバー受け１４３はスプリング１４４を介して蓋部１１０に対して上下摺動可能に取り付けられる。ストッパー１４５は、蓋部１１０の前部に左右方向に長い部材であって、右部が右側の前後板金１１５Ｒの前端付近まで、左部が左側の前後板金１１５Ｌの前端付近まで延設される。
【００２５】
なお、レバー１１１は、蓋カバー１１９または蓋部１１０の他の構造体に支持されるスライド用部材１４１に上下方向に形成された孔１４１Ａに沿って上下に摺動する。レバー受け１４３は、当該スライド用部材１４１に上下方向に形成された孔１４１Ｂに沿って上下に摺動する。
【００２６】
ストッパー１４５の左右中央部は後方に延設され、当該後部はスプリング１４４、レバー受け１４３、スプリング１４２を介してレバー１１１と連動して回動する。より詳細には、レバー１１１とスプリング１４２とレバー受け１４３とスプリング１４４がユーザの押しに対応して上下方向にスライドし、ストッパー１４５がレバー受け１４３の上下動に合わせて回動する。レバー１１１とレバー受け１４３とが上下に摺動するため、ユーザは、スムーズにレバー１１１を押し下げることが可能になる。
【００２７】
そして、ストッパー１４５の右端部は後方へ延設され、当該後部の下面は上下スライド部材１４７の上部と当接して上下スライド部材１４７の上下動と連動して回動する。ストッパー１４５の右部および左部は本体部１５０の位置まで下方へ延設され、当該下端部は後方へ向けて折れ曲げられることによって、引っ掛け部１４５Ｌが形成される。
【００２８】
これによって、加圧時には、リンク部材１２２の前端部が上下スライド部材１４７の下方に入り込み、上下スライド部材１４７がリンク部材１２２に当たって下方へ移動できなくなり、その結果ストッパー１４５が回動できなくなり、ユーザがレバー１１１を下方へ押し下げても、スプリング１４２と１４４とが撓むだけで、ストッパー１４５が回動不能となる。すなわち、ストッパー１４５の下部の引っ掛け部１４５Ｌが後述する本体部１５０の保護枠１７０の係止部１７５Ｌ，１７５Ｒ（図１９を参照。）に引っ掛けられたままの状態が維持され、蓋部１１０の開放が禁止される。
＜本体部１５０の構成＞
【００２９】
本実施の形態にかかる本体部１５０は、主に、図１〜図４に示す本体カバー１５１と、図１〜図４と図１９に示すカタ部１６０と、図１９に示す保護枠１７０とを含む。カタ部１６０は、ユーザから見える部分であるため、意匠性を向上させるために例えばポリプロピレンなどで構成される。本実施の形態においては、カタ部１６０の下方に、平面視において略同じ形状の保護枠１７０が固設される。保護枠１７０は、カタ部１６０によって隠れるため、カタ部１６０よりも剛性が強い素材で構成することができる。なお、カタ部１６０と保護枠１７０とは、少なくともそれらの周囲同士を、ネジやビスによって、できるだけ隙間が無いように互いに固着されることが好ましい。
【００３０】
本実施の形態においては、保護枠１７０は、カタ部１６０に対向する上面１７０Ｘと、内鍋１９０の側面に対向する側面１７０Ｙと、内鍋１９０の底面に対向する底面１７０Ｚと、が一体成型されたものである。より詳細には、底面１７０Ｚは、底面１７０Ｚの端部に相当し側面１７０Ｙとの境界に位置する円弧上の部分と、底面１７０Ｚの中央部に相当する水平の部分とを含む。
【００３１】
上述した通り、本実施の形態においては、保護枠１７０の上面１７０Ｘと側面１７０Ｙと底面１７０Ｚとが一体成型されたものである。そして、保護枠１７０とカタ部１６０とは、隙間をできるだけ少なくして固設されることが好ましい。これによって、保護枠１７０およびカタ部１６０の隙間から、調理用の熱が逃げることを低減することができる。
【００３２】
本実施の形態においては、保護枠１７０の上面１７０Ｘは、蓋部１１０の回動軸１５２の下方まで延設される。そして、平面視において、保護枠１７０は、カタ部１６０と略同じ形状をしている。上面１７０Ｘの後部には、蓋部１１０を回動可能に指示するための上下板金１５１Ｌ，１５１Ｒが取り付けられる。なお、カタ部１６０の後部には、上下板金１５１Ｌ，１５１Ｒや回動ユニット１１６の前方に位置する化粧壁１６１が一体成型によって立設されている。
【００３３】
また、本実施の形態においては、保護枠１７０の上面１７０Ｘの前部に、ロック用の係止部１７５Ｌ，１７５Ｒが設けられる。これによって、蓋部１１０が閉じられた際に、蓋部１１０のストッパー１４５の左右の引っ掛け部１４５Ｌのそれぞれが、当該係止部１７５Ｌ，１７５Ｒに引っ掛けられることによって、蓋部１１０が閉じられる。
【００３４】
また本実施の形態においては、図２０および図２１に示すように、保護枠１７０の側面１７０Ｙには、被覆されていないＩＨコイル１７２が直接的にまかれている。より詳細には、ワニスが塗られたＩＨコイル１７２を側面１７０Ｙに直接的に巻いてから、熱処理によってワニスを溶かすことによってＩＨコイル１７２を側面に直に固着させる。
【００３５】
そして、保護枠１７０の内側に外鍋１７１が固着される。より詳細には、外鍋１７１はその側面の外側が保護枠１７０の側面１７０Ｙの内側に、外鍋１７１の底面の下面が底面１７０Ｚの上面に接着剤で取り付けられる。
【００３６】
保護枠１７０の底面１７０Ｚの下方には、メインＩＨユニット１８０が配置される。メインＩＨユニット１８０は、下方からバネ１８９，１８９・・・によって上方に付勢されている。図２１〜図２３に示すように、メインＩＨユニット１８０のフレームには、内鍋１９０の底面の周囲の円弧上の部分に対応する位置、すなわち保護枠１７０の底面１７０Ｚの周囲の円弧上の部分に対応する位置に配置されるＩＨコイル１８５Ｘと、内鍋１９０の底面の中央部、すなわち保護枠１７０の底面１７０Ｚの中央の水平部分に対応する位置に配置されるＩＨコイル１８５Ｙと、が取り付けられる。
【００３７】
特に、本実施の形態においては、保護枠１７０の底面１７０Ｚには、複数個所に穴１７０Ｈ，１７０Ｈ・・・が形成されている。同様に、外鍋１７１の底面にも、穴１７０Ｈ，１７０Ｈ・・・に対向する位置に、孔１７１Ｈ，１７１Ｈ・・・が形成されている。そして、メインＩＨユニット１８０のフレーム１８１には、複数の凸部１８２，１８２・・・が一体成型されている。
【００３８】
そして、上述した通り、メインＩＨユニット１８０がバネ１８９，１８９・・・によって上方に付勢されることによって、メインＩＨユニット１８０の凸部１８２，１８２・・・が穴１７０Ｈ，１７０Ｈ・・・と孔１７１Ｈ，１７１Ｈ・・・を貫通し、凸部１８２，１８２・・・の上端が内鍋１９０の底面に接するように構成されている。より詳細には、保護枠１７０の底面１７０Ｚの穴１７０Ｈ，１７０Ｈ・・・には、弾性カバー１７３が取り付けられて、凸部１８２，１８２・・・は当該弾性カバー１７３を介して内鍋１９０の底面に接する。
【００３９】
本実施の形態においては、内鍋１９０は、着脱可能に、カタ部１６０に取り付けられる。より詳細には、内鍋１９０の上部の周囲の下面が、カタ部１６０の円状のリブ１６２に載置される。
【００４０】
これによって、内鍋１９０の寸法に多少のバラツキがあっても、内鍋１９０の底面とメインＩＨユニット１８０の凸部１８２，１８２・・・とが当接するため、内鍋１９０のＩＨ用の銀メッキとＩＨコイル１８５Ｘ，１８５Ｙとの距離のバラツキを小さくすることができる。換言すれば、本実施の形態においては、内鍋１９０をカタ部１６０や保護枠１７０に載置すると、内鍋１９０の大きさに応じて、メインＩＨユニット１８０の上下方向の位置が自動的に適切な位置に調節される。
【００４１】
具体的には、内鍋１９０が小さいものであるときは、図２４に示すように、メインＩＨユニット１８０が、凸部１８２，１８２・・・が穴１７０Ｈ，１７０Ｈ・・・と孔１７１Ｈ，１７１Ｈ・・・を貫通して内鍋１９０の底面に接するまで、バネ１８９，１８９・・・によって上方まで移動する。一方、内鍋１９０が大きいものであるときは、図２５に示すように、メインＩＨユニット１８０の凸部１８２，１８２・・・が穴１７０Ｈ，１７０Ｈ・・・と孔１７１Ｈ，１７１Ｈ・・・を貫通して内鍋１９０の底面にすぐに接するので、バネ１８９，１８９・・・に抗して、メインＩＨユニット１８０が下方へ下がる。
【００４２】
なお、本実施の形態にかかる、メインＩＨユニット１８０を保護枠１７０とカタ部１６０に対して上下摺動させる構成は、内鍋１９０が土鍋のようにサイズにバラツキがある場合に特に有効である。
＜まとめ＞
【００４３】
上記の実施の形態においては、本体部１５０と、本体部１５０に回動可能に支持される蓋部１１０とを備える炊飯器１００が提供される。蓋部１１０は、上下方向に摺動可能に構成される、蓋部１１０の開閉用のレバー１１１と、上下方向に摺動可能に構成され、スプリング１４２を介してレバー１１１を下方から支持するレバー受け１４３と、レバー受け１４３の下方に位置し、レバー受け１４３によって下方へ押されることによって、本体部１５０に対するロックを解除するためストッパー１４５とを含む。
【００４４】
好ましくは、ストッパー１４５は炊飯器１００の左右方向に延設される。ストッパー１４５の左右の端部の少なくとも１つの近傍に、炊飯器１００の加圧調理時に、ストッパー１４５の下降を制限するための部材１２２が配置される。
【００４５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００４６】
１００    ：炊飯器
１１０    ：蓋部
１１１    ：蓋開閉レバー
１１２    ：圧縮バネ
１１３Ｌ  ：カム部材
１１３Ｒ  ：カム部材
１１５Ｌ  ：前後板金
１１５Ｒ  ：前後板金
１１６    ：回動ユニット
１１８Ｘ  ：内蓋用マグネット
１１８Ｙ  ：オネバ回収部材用マグネット
１１９    ：蓋カバー
１１９Ｌ  ：切り欠き
１１９Ｒ  ：切り欠き
１２０    ：内蓋
１２１Ｒ  ：第１のソレノイド
１２２    ：リンク部材
１２２Ａ  ：左右フレーム
１２２Ｂ  ：前後フレーム
１２２Ｌ  ：第２のソレノイド
１２２Ｒ  ：第１のソレノイド
１２３    ：連動部材
１２５    ：回動部材
１２７    ：第１の調圧穴
１２８    ：第１の調圧ボール
１２９Ｌ  ：第２のプランジャ
１２９Ｒ  ：第１のプランジャ
１３０    ：オネバ回収部材
１３１    ：上部材
１３２    ：下部材
１３８Ｌ  ：取り付け片
１４２    ：レバー用スプリング
１４３    ：レバー受け
１４４    ：レバー受け用スプリング
１４５    ：ストッパー
１４５Ｌ  ：引っ掛け部
１４７    ：上下スライド部材
１４８    ：スプリング
１５０    ：本体部
１５１    ：本体カバー
１５１Ｌ  ：上下板金
１５１Ｒ  ：上下板金
１５２    ：軸
１６０    ：カタ部
１６１    ：化粧壁
１６２    ：リブ
１７０    ：保護枠
１７０Ｈ  ：穴
１７０Ｘ  ：上面
１７０Ｙ  ：側面
１７０Ｚ  ：底面
１７１    ：外鍋
１７１Ｈ  ：孔
１７２    ：側面用ＩＨコイル
１７３    ：弾性カバー
１７５Ｌ  ：ロック用係止部
１７５Ｒ  ：ロック用係止部
１８０    ：メインＩＨユニット
１８１    ：ＩＨ用フレーム
１８２    ：凸部
１８５Ｘ  ：底面周囲用ＩＨコイル
１８５Ｙ  ：底面中央用ＩＨコイル
１８９    ：ＩＨフレーム用バネ
１９０    ：内鍋
【図１】
2019047868.tif 000003
【図２】
2019047868.tif 000004
【図３】
2019047868.tif 000005
【図４】
2019047868.tif 000006
【図５】
2019047868.tif 000007
【図６】
2019047868.tif 000008
【図７】
2019047868.tif 000009
【図８】
2019047868.tif 000010
【図９】
2019047868.tif 000011
【図１０】
2019047868.tif 000012
【図１１】
2019047868.tif 000013
【図１２】
2019047868.tif 000014
【図１３】
2019047868.tif 000015
【図１４】
2019047868.tif 000016
【図１５】
2019047868.tif 000017
【図１６】
2019047868.tif 000018
【図１７】
2019047868.tif 000019
【図１８】
2019047868.tif 000020
【図１９】
2019047868.tif 000021
【図２０】
2019047868.tif 000022
【図２１】
2019047868.tif 000023
【図２２】
2019047868.tif 000024
【図２３】
2019047868.tif 000025
【図２４】
2019047868.tif 000026
【図２５】
2019047868.tif 000027